(57)【要約】      （修正有）【課題】表示ユニットに重ねられる入力検出装置と透明板を有しながら、表示ユニットを閉じた時に薄くなる電子機器を提供する。【解決手段】本体ユニット１１に開閉自在に枢支された表示ユニット１２を備え、表示ユニット１２には、表示画面を保護するための透明板２４と、入力位置検出部２５が重ねて設けられ、表示ユニットの開閉に連動して表示画面２２と透明板２４との離間距離を変更する手段を備えている。【選択図】図３
2005108088.tif 000002
【特許請求の範囲】
【請求項１】
本体ユニットと、本体ユニットに開閉自在に枢支された表示ユニットとを備える電子機器において、
表示ユニットは、
表示部と、
表示部の画面を保護するために該画面に重ねられた透明板と、
表示部の画面上の入力位置を検出するために該画面に重ねられた入力検出部と、
表示ユニットの開閉に連動して、表示部の画面と透明板間の離間距離を変更する離間距離変更手段と
を備えることを特徴とする電子機器。
【請求項２】
表示部の画面と透明板間の離間距離の変更に伴い、表示部の裏面と表示ユニットの筐体壁面間の離間距離も変更されることを特徴とする請求項１に記載の電子機器。
【発明の詳細な説明】
【技術分野】
【０００１】
本発明は、本体ユニット、及び本体ユニットに開閉自在に枢支された表示ユニットとを備える電子機器に関する。
【背景技術】
【０００２】
この種の電子機器としては、例えばノートブック型のパーソナルコンピュータがある。この電子機器では、本体ユニットと、本体ユニットに開閉自在に枢支された表示ユニットとを備え、表示ユニットを本体ユニットの蓋体として兼用している。
【０００３】
この様な電子機器は、持ち運ばれることが多く、このために表示ユニットを閉じた状態では電子機器が薄くなることが好ましい。そこで、例えば特許文献１には、表示ユニットが閉じられると、これに連動して本体ユニット側のキーボードの各キーが沈み込み、これにより本体ユニットが薄くなり、電子機器本体も薄くなるという技術が開示されている。
【特許文献１】特開平８−５４９６４号公報
【発明の開示】
【発明が解決しようとする課題】
【０００４】
ところで、電子機器の表示ユニットの画面に、タッチパネルやタブレット等の入力検出装置を重ね合わせることがある。この入力検出装置は、指先やペン先等の接触により指示された画面上の入力位置を検出するものである。
そして、表示ユニットの画面がむき出しであると、指先やペン先等が表示ユニットの画面に直接接触して、表示ユニットの画面に荷重がかかることから、画面を保護するために透明板を表示ユニットの画面に重ねることが多い。
【０００５】
しかしながら、指先やペン先等の接触により透明板がたわんでも、透明板が表示ユニットの画面に干渉せず、表示ユニットの破損や表示不良が発生しない様にするには、表示ユニットの画面と透明板間を離間させねばならない。このため、表示ユニットが厚くなり、表示ユニットを閉じたときの電子機器も厚くなった。
【０００６】
そこで、本発明は、上記従来の問題点に鑑みてなされたものであり、表示ユニットに重ねられる入力検出装置及び透明板を有しながらも、表示ユニットを閉じたときには薄くなる電子機器を提供することを目的とする。
【課題を解決するための手段】
【０００７】
上記課題を解決するために、本発明は、本体ユニットと、本体ユニットに開閉自在に枢支された表示ユニットとを備える電子機器において、表示ユニットは、表示部と、表示部の画面を保護するために該画面に重ねられた透明板と、表示部の画面上の入力位置を検出するために該画面に重ねられた入力検出部と、表示ユニットの開閉に連動して、表示部の画面と透明板間の離間距離を変更する離間距離変更手段とを備えている。
【０００８】
また、本発明においては、表示部の画面と透明板間の離間距離の変更に伴い、表示部の裏面と表示ユニットの筐体壁面間の離間距離も変更される。
【発明の効果】
【０００９】
本発明によれば、表示部の画面上の入力位置を検出するための入力検出部と表示部の画面を保護するための透明板とが該画面に重ねられている。そして、表示ユニットの開閉に連動して、表示部の画面と透明板間の離間距離が変更される。例えば、表示ユニットが開かれると、これに連動して透明板が表示部の画面から離間する。この状態では、指先やペン先等が透明板に接触しても、透明板が表示ユニットの画面に干渉せず、表示ユニットの破損や表示不良が発生せずに済む。また、表示ユニットが閉じられると、これに連動して透明板が表示ユニットの画面に接近する。この状態では、表示ユニットが薄くなって、電子機器も薄くなる。従って、表示ユニットが開かれ、電子機器が利用されるときには、透明板が表示部の画面から離間して、表示部の画面が保護され、また表示ユニットが閉じられ、電子機器の持ち運びが可能なときには、透明板が表示部の画面に接近し、表示ユニットが薄くなって、電子機器も薄くなり、持ち運びが容易になる。
【００１０】
また、透明板を固定しておき、表示ユニットの開閉に連動して、表示部を移動させることにより、表示部の画面と透明板間の離間距離を変更することを想定している。この場合は、表示部の移動に伴い、表示部の画面が透明板に接近したり離間するだけではなく、表示部の裏面が表示ユニットの筐体壁面から離間したり接近する。例えば、表示ユニットが閉じられると、表示部が移動して、表示部の画面が透明板により接近し、表示部の裏面が表示ユニットの筐体の壁面から離間する。この状態では、電子機器の持ち運びに際し、表示ユニットの筐体の壁に衝撃等が加わっても、この衝撃が表示部に伝達され難く、表示部が保護される。また、表示ユニットが開かれると、表示部が移動して、表示部の画面が透明板から離間し、表示部の裏面が表示ユニットの筐体の壁面に接近する。この状態では、指先やペン先等が透明板に接触しても、透明板が表示ユニットの画面に干渉せず、表示ユニットの破損や表示不良が発生せずに済む。また、表示ユニットが開かれたままで、電子機器を持ち運ぶことがなく、表示ユニットの筐体の壁に衝撃等が加わる可能性も低いことから、表示部の裏面が表示ユニットの筐体の壁面に接近しても構わない。従って、表示ユニットが閉じられ、電子機器の持ち運びが可能なときには、表示部が表示ユニットの筐体の壁面から離間して、表示部が表示ユニットの筐体により確実に保護され、また表示ユニットが開かれ、電子機器が利用されるときには、透明板が表示部の画面からより離間して、表示部の画面が保護される。
【発明を実施するための最良の形態】
【００１１】
以下、本発明の実施形態を添付図面を参照しつつ詳細に説明する。
【実施例１】
【００１２】
図１は、本発明の電子機器の実施例１を示す斜視図である。また、図２は、本実施例の電子機器を示す側面図である。
【００１３】
本実施例の電子機器１０は、例えばノートブック型のパーソナルコンピュータであって、本体ユニット１１及び表示ユニット１２を備えている。本体ユニット１１は、筐体１３、筐体１３上に配置されたキーボード（図示せず）、筐体１３内の各種の電子部品や電源等（図示せず）を有する。
【００１４】
また、表示ユニット１２は、筐体２１、筐体２１内に固定された液晶表示パネル２２、筐体２１内に配置された枠体２３、枠体２３の開口部内側に固定された透明板２４、及び透明板２４の表面に展着された入力検出装置２５を有する。透明板２４は、ガラス板や透明な合成樹脂板であり、透明板２４により液晶表示パネル２２の画面を保護している。入力検出装置２５は、感圧方式や静電容量方式のタッチパネルやタブレット等であり、指先やペン先等の接触により指示された液晶表示パネル２２の画面上の入力位置を検出する。
【００１５】
表示ユニット１２の筐体２１の一辺には、２本の枢支軸２６を回転自在に支持している。これらの枢支軸２６を本体ユニット１１の筐体１３の一辺に固定し、これにより表示ユニット１２を本体ユニット１１に開閉自在に枢支している。
【００１６】
表示ユニット１２の筐体２１と枠体２３間の両側の隙間には、それぞれのスライダー２７を配置している。各スライダー２７は、筐体２１に取り付けられ、各矢印方向Ａ，Ｂに往復移動自在に支持されている。各スライダー２７は、各リンク片２８により枠体２３の両側に連結されている。また、各枢支軸２６の外側端にそれぞれのギア２９を固定し、各ギア２９をそれぞれのスライダー２７の一端近傍に噛み合わせている。
【００１７】
図３（ａ）は、表示ユニット１２を側方から見て示す断面図である。図３（ａ）から明らかな様に液晶表示パネル２２を筐体２１の壁面２１ａ近傍に固定し、透明板２４を枠体２３の開口部内側に固定し、透明板２４の外側面に入力検出装置２５を展着している。
【００１８】
また、枠体２３の上下の外壁面は、筐体２１の上下の内壁面に接している。これにより、枠体２３が各矢印方向Ｃ，Ｄに移動可能に支持されている。
【００１９】
更に、スライダー２７は、筐体２１の壁面２１ａに当接した状態で、各矢印方向Ａ，Ｂに往復移動自在に支持されている。各リンク片２８は、それぞれの回転軸２８ａにより枠体２３に連結され、かつそれぞれの回転軸２８ｂによりスライダー２７に連結されている。また、スライダー２７の一端近傍にラックギア２７ａを形成し、枢支軸２６のギア２９をスライダー２７のラックギア２７ａに噛み合わせている。
【００２０】
この様な構成において、図３（ａ）に示す様に表示ユニット１２を閉じて本体ユニット１１に重ね合わせた状態では、表示ユニット１２内の各枢支軸２６のギア２９が所定の回転位置に位置決めされ、各ギア２９に噛み合う各スライダー２７のラックギア２７ａも位置決めされる。このとき、各スライダー２７に連結された各リンク片２８の回転軸２８ｂが矢印方向Ｂに移動しており、枠体２３の両側に連結された各リンク片２８の回転軸２８ａが矢印方向Ｄに回転移動している。これにより、枠体２３が矢印方向Ｄに移動して、透明板２４が液晶表示パネル２２の画面に接近し、透明板２４が筐体２１内に収容される。この結果として、表示ユニット１２が薄くなり、表示ユニット１２と本体ユニット１１を重ね合わせたときの電子機器１０そのものも薄くなる。このため、電子機器１０の持ち運びが容易になる。
【００２１】
次に、図２に示す様に表示ユニット１２を矢印方向Ｅに開いて行くと、図３（ｂ）に示す様に表示ユニット１２内で各枢支軸２６のギア２９が回転し、各ギア２９に噛み合う各スライダー２７のラックギア２７ａが矢印方向Ａに移動する。このとき、各スライダー２７に連結された各リンク片２８の回転軸２８ｂも矢印方向Ａに移動し、各リンク片２８が回転して、枠体２３の両側に連結された各リンク片２８の回転軸２８ａが矢印方向Ｃに回転移動する。これにより、枠体２３が矢印方向Ｃに移動して、透明板２４が液晶表示パネル２２の画面から離間する。
【００２２】
更に、表示ユニット１２の開放角度αが例えば３０°以上になると、各ギア２９が各スライダー２７のラックギア２７ａの端に達して、各スライダー２７が停止し、透明板２４と液晶表示パネル２２の画面間の離間距離が一定に保持される。
【００２３】
図４は、透明板２４が液晶表示パネル２２の画面から離間した状態を示している。透明板２４と液晶表示パネル２２間にスペースＳを形成した状態では、指先やペン先Ｐ等が入力検出装置２５に接触したときに、透明板２４がたわんでも、透明板２４が液晶表示パネル２２の画面に干渉せず、液晶表示パネル２２の破損や表示不良が発生せずに済む。
【００２４】
次に、図２に示す様に表示ユニット１２を矢印方向Ｆに閉じて行くと、表示ユニット１２内で各枢支軸２６のギア２９が逆回転する。そして、表示ユニット１２の開放角度αが３０°未満になると、各スライダー２７のラックギア２７ａが各ギア２９に噛み合って矢印方向Ｂに移動し、各スライダー２７に連結された各リンク片２８の回転軸２８ｂも矢印方向Ｂに移動し、各リンク片２８が逆回転して、枠体２３の両側に連結された各リンク片２８の回転軸２８ａが矢印方向Ｄに回転移動する。これにより、枠体２３が矢印方向Ｄに移動して、透明板２４が液晶表示パネル２２の画面に接近し、表示ユニット１２が薄くなり、電子機器１０も薄くなって、元の状態に戻る。
【００２５】
この様に本実施例の電子機器１０では、表示ユニット１２が開かれ、電子機器１０が利用されるときには、透明板２４が液晶表示パネル２２の画面から離間して、液晶表示パネル２２の画面が保護され、また表示ユニット１２が閉じられ、電子機器１０の持ち運びが可能なときには、透明板２４が液晶表示パネル２２の画面に接近し、表示ユニット１２が薄くなって、電子機器１０も薄くなり、持ち運びが容易になる。
【００２６】
尚、入力検出装置２５として、感圧方式や静電容量方式のものの代わりに、ペンを用いて位置を入力する電磁誘導方式のものを適用しても構わない。この電磁誘導方式のものを適用する場合は、図５及び図６に示す様に入力検出装置２５を液晶表示パネル２２の裏面に重ね合わせる。透明板２４については、図４と同様に液晶表示パネル２２の画面に重ね、電子機器１０の利用のときに透明板２４を液晶表示パネル２２の画面から離間させて、スペースＳを形成し、電子機器１０の持ち運びのときに透明板２４を液晶表示パネル２２の画面に接近させる。
【実施例２】
【００２７】
図７は、本発明の電子機器の実施例２を示す側面図である。尚、図７において、図１及び図２の装置と同様の作用を果たす部位には同じ符号を付す。
【００２８】
本実施例の電子機器１０Ａでは、表示ユニット１２Ａの筐体２１Ａの開口部内側に枠体２３Ａを固定し、更に枠体２３Ａの開口部内側に透明板２４を固定している。また、液晶表示パネル２２をシャーシ３１に収容し、表示ユニット１２Ａの筐体２１Ａとシャーシ３１間の両側の隙間にそれぞれのスライダー２７を配置し、各リンク片２８の回転軸２８ｂを液晶表示パネル２２に連結し、各リンク片２８の回転軸２８ａをそれぞれのスライダー２７に連結している。従って、透明板２４を固定し、液晶表示パネル２２を移動可能に支持している。
【００２９】
この様な構成においては、図７（ａ）に示す様に表示ユニット１２Ａを閉じて本体ユニット１１に重ね合わせた状態では、表示ユニット１２Ａ内の各枢支軸２６のギア２９が所定の回転位置に位置決めされ、各ギア２９に噛み合う各スライダー２７のラックギア２７ａも位置決めされる。このとき、各スライダー２７に連結された各リンク片２８の回転軸２８ａが矢印方向Ｂに移動しており、液晶表示パネル２２の両側に連結された各リンク片２８の回転軸２８ｂが矢印方向Ｃに回転移動している。これにより、液晶表示パネル２２が矢印方向Ｃに移動して透明板２４に接近し、かつ液晶表示パネル２２が筐体２１Ａの壁面２１ａから離間する。
【００３０】
こうして液晶表示パネル２２が筐体２１Ａの壁面２１ａから離間した状態では、電子機器１０Ａの持ち運びに際し、表示ユニット１２Ａの筐体２１Ａの壁に衝撃等が加わっても、この衝撃が液晶表示パネル２２に伝達され難く、液晶表示パネル２２が保護される。
【００３１】
次に、表示ユニット１２Ａを開いて行くと、図７（ｂ）に示す様に表示ユニット１２Ａ内で各枢支軸２６のギア２９が回転し、各ギア２９に噛み合う各スライダー２７のラックギア２７ａが矢印方向Ａに移動する。このとき、各スライダー２７に連結された各リンク片２８の回転軸２８ａも矢印方向Ａに移動し、各リンク片２８が回転して、液晶表示パネル２２の両側に連結された各リンク片２８の回転軸２８ｂが矢印方向Ｄに回転移動する。これにより、液晶表示パネル２２が矢印方向Ｄに移動して透明板２４から離間し、かつ液晶表示パネル２２が筐体２１Ａの壁面２１ａに接近する。
【００３２】
更に、表示ユニット１２Ａの開放角度αが例えば３０°以上になると、各ギア２９が各スライダー２７のラックギア２７ａの端に達して、各スライダー２７が停止し、透明板２４と液晶表示パネル２２の画面間の離間距離が一定に保持される。
【００３３】
この状態では、指先やペン先等が透明板２４に接触しても、透明板２４が液晶表示パネル２２の画面に干渉せず、液晶表示パネル２２の破損や表示不良が発生せずに済む。また、表示ユニット１２Ａが開かれたままで、電子機器１０Ａを持ち運ぶことがなく、表示ユニット１２Ａの筐体２１Ａの壁面２１ａに衝撃等が加わる可能性も低いことから、液晶表示パネル２２の裏面が表示ユニット１２Ａの筐体２１Ａの壁面２１ａに接近しても構わない。
【００３４】
次に、表示ユニット１２Ａを閉じて行くと、表示ユニット１２Ａ内で各枢支軸２６のギア２９が逆回転する。そして、表示ユニット１２Ａの開放角度αが３０°未満になると、各スライダー２７のラックギア２７ａが各ギア２９に噛み合って矢印方向Ｂに移動し、各スライダー２７に連結された各リンク片２８の回転軸２８ａも矢印方向Ｂに移動し、各リンク片２８が逆回転して、液晶表示パネル２２の両側に連結された各リンク片２８の回転軸２８ｂが矢印方向Ｃに回転移動する。これにより、液晶表示パネル２２が矢印方向Ｃに移動して透明板２４に接近し、かつ液晶表示パネル２２が筐体２１Ａの壁面２１ａから離間して、元の状態に戻る。
【００３５】
この様に本実施例の電子機器１０Ａでは、表示ユニット１２Ａが閉じられ、電子機器１０Ａの持ち運びが可能なときには、液晶表示パネル２２が表示ユニット１２Ａの筐体２１Ａの壁面２１ａから離間して、液晶表示パネル２２が表示ユニット１２Ａの筐体２１Ａにより確実に保護され、また表示ユニット１２Ａが開かれ、電子機器１０Ａが利用されるときには、透明板２４が液晶表示パネル２２の画面からより離間して、液晶表示パネル２２の画面が保護される。
【００３６】
尚、本発明は、上記各実施例に限定されるものではなく、多様に変形することができる。例えば、ノートブック型のパーソナルコンピュータだけではなく、他の種類の電子機器にも本発明を適用することができる。また、液晶表示パネルを例示しているが、他の種類の表示部であっても構わない。
【図面の簡単な説明】
【００３７】
【図１】本発明の電子機器の第１実施形態を示す斜視図である。
【図２】図１の電子機器を示す側面図である。
【図３】（ａ）は図１の電子機器における閉じられた表示ユニットを側方から見て示す断面図であり、（ｂ）は開かれた表示ユニットを側方から見て示す断面図である。
【図４】開かれた表示ユニットを拡大して示す断面図である。
【図５】他の入力検出装置を適用した電子機器を示す側面図である。
【図６】図５の電子機器における開かれた表示ユニットを側方から見て示す断面図である。
【図７】本発明の電子機器の第２実施形態を示す側面図で、（ａ）は図１の電子機器における閉じられた表示ユニットを側方から見て示す断面図であり、（ｂ）は開かれた表示ユニットを側方から見て示す断面図である。
【符号の説明】
【００３８】
１０，１０Ａ  電子機器
１１  本体ユニット
１２，１２Ａ  表示ユニット
１３  筐体
２１，２１Ａ  筐体
２１ａ  壁面
２２  液晶表示パネル
２３，２３Ａ  枠体
２４  透明板
２５  入力検出装置
２６  枢支軸
２７  スライダー
２７ａ  ラックギア
２８  リンク片
２８ａ、２８ｂ  回転軸
２９  ギア
３１  シャーシ
【図１】
2005108088.tif 000003
【図２】
2005108088.tif 000004
【図３】
2005108088.tif 000005
【図４】
2005108088.tif 000006
【図５】
2005108088.tif 000007
【図６】
2005108088.tif 000008
【図７】
2005108088.tif 000009